(57)【要約】      （修正有）【課題】箸とストローの両機能を有するとともに、再生利用可能な多機能型環境保護用ストロー構造を提供する。【解決手段】多機能型環境保護用ストロー構造１は、一方の側面に第１の解放部１０２が形成された第１の本体と、第１の本体と対応して組み合わせ可能であり、一方の側面に第２の解放部１１２が形成された第２の本体とを備えている。第２の解放部１１２を第１の解放部に対応して配置して組み合わせることにより、ストローの通過空間が画定される。また、第１の本体と第２の本体を分離させることで一対の箸が形成される。本体は、再生利用可能な材料で構成される。【選択図】図１
0003220858.tif 000002
【実用新案登録請求の範囲】
【請求項１】
一方の側面に第１の解放部が形成された第１の本体と、
前記第１の本体と対応して組み合わせ可能であり、一方の側面に第２の解放部が形成された第２の本体と、
を備え、
前記第２の解放部を前記第１の解放部に対応して配置することにより、通過空間が画定される、
ことを特徴とする多機能型環境保護用ストロー構造。
【請求項２】
前記第１の本体と前記第２の本体とを組み合わせることにより、ストローが形成されるとともに、前記通過空間を通って流体が通過可能である、
ことを特徴とする請求項１に記載の多機能型環境保護用ストロー構造。
【請求項３】
前記第１の本体と前記第２の本体とを分離させることにより、一対の箸が形成される、ことを特徴とする請求項１に記載の多機能型環境保護用ストロー構造。
【請求項４】
前記第１の本体は、第１の側面および第２の側面を有し、
前記第２の本体は、第３の側面および第４の側面を有し、
前記第２の側面に前記第１の解放部が形成されており、
前記第３の側面に前記第２の解放部が形成されている、
ことを特徴とする請求項１に記載の多機能型環境保護用ストロー構造。
【請求項５】
前記第１の本体及び前記第２の本体の材質は、プラスチック、竹、木材、高分子材料、分解性材料、及び金属材料からなる群から選択されたいずれか１つである、
ことを特徴とする請求項１に記載の多機能型環境保護用ストロー構造。
【請求項６】
スリーブ部材をさらに有し、
前記スリーブ部材は、前記第１の本体の側面および前記第２の本体の側面に対応して嵌め付けられる、
ことを特徴とする請求項１に記載の多機能型環境保護用ストロー構造。
【請求項７】
前記スリーブ部材の材質は、プラスチック、高分子材料、分解性材料、及び可撓性材料からなる群から選択されたいずれか１つである、
ことを特徴とする請求項１に記載の多機能型環境保護用ストロー構造。
【請求項８】
前記第１の解放部には、少なくとも１つの係合部がさらに形成されており、
前記第２の解放部には、少なくとも１つの被係合部がさらに形成されており、
前記被係合部と前記係合部とは互いに組み合わされる、
ことを特徴とする請求項１に記載の多機能型環境保護用ストロー構造。
【考案の詳細な説明】
【技術分野】
【０００１】
本考案は、多機能型環境保護用ストロー構造に関し、特に、多機能化用途に用いられると共に、環境保護の効果を持つ多機能型環境保護用ストロー構造に関するものである。
【背景技術】
【０００２】
茶文化の普及に伴い、消費者は通常、外で食事する際にお茶を一杯買うようになり、その中で、柔らかくモチモチした食感の粒状のタピオカをお茶に加えて作られたボバ（またはパール）ティーは、消費者に好まれている。また、粒状のタピオカを加えた緑茶、ジャスミン茶、ジュースなどの飲み物もあって、これらの飲み物を注文する際には、消費者が飲み物に使用するためのプラスチックストローが店舗側より提供される。ところが、飲み物が酸性であると、プラスチックストローが毒性を溶出しやすく、人間の健康に害を及ぼすことになる。しかも、割り箸もプラスチックストローも、いずれも使用後に廃棄する使い捨て製品であり、これらの使い捨ての割り箸およびプラスチックストローは、多くのごみを生成し、環境問題を引き起こしてしまう。
【０００３】
消費者の個人的健康および環境に対する意識の向上により、多くの消費者は外で食事する際に、再利用可能な環境にやさしい食器を携帯するようになってきたが、環境にやさしいあらゆる種類の食器を持ち運ぶことは、携帯、使用および保管上、非常に不便である。その結果、消費者は今までしばしば、健康や環境保護と使いやすさとのトレードオフに悩まされてきた。また、環境にやさしい食器は、使用や収納の利便性が不十分で使い続けることができないため、プラスチックストローの使用量を効果的に削減することは実質上なお困難である。
【０００４】
また、市販されている割り箸やストローは、いずれも１つの機能を持つに過ぎず、言い換えると、割り箸は食物を把持する機能しか持たず、ストローは飲み物を吸う機能しか持たないため、割り箸およびストローの機能性は低く、付加的な機能を持たせることができない。また、消費者が外で食事するときは、箸とストローという両方の使い捨て道具を用意しなければならず、不都合が生じる。
【考案の概要】
【考案が解決しようとする課題】
【０００５】
そこで、上記問題を効果的に解決するために、本考案の主な目的は、多機能化用途に用いられる多機能型環境保護用ストロー構造を提供することにある。
【０００６】
また、本考案の他の目的は、再利用可能な多機能型環境保護用ストロー構造を提供することにある。
【０００７】
さらに、本考案の別の目的は、環境保護の効果を持つ多機能型環境保護用ストロー構造を提供することにある。
【課題を解決するための手段】
【０００８】
上記目的を達成するために、本考案は、一方の側面に第１の解放部が形成された第１の本体と、第１の本体と組み合わせ可能であり、一方の側面に第２の解放部が形成された第２の本体とを備え、前記第２の解放部を前記第１の解放部に対応して配置することにより、通過空間が画定される多機能型環境保護用ストロー構造を提供する。
【考案の効果】
【０００９】
本考案の構造設計によれば、前記第１および第２の本体が分離状態にあるとき、ユーザは第１および第２の本体の第１および第４の側面をそれぞれ握って、第１および第２の本体の第１および第２の解放部によって食品を掴むことで、箸の機能を果たすことができる。また、流体（該流体とは、飲み物、タピオカ粒、パール、ココナッツなどを指す）を吸い込みたい場合、第１の本体と第２の本体とを組み合わせるだけで通過空間を通して流体を吸い込むことができ、ストローの役割を果たすことができる。従って、本考案の構造設計によれば、箸とストローの両方の用途に適用することができ、多機能性を備えるだけでなく、環境保護の効果をも得ることができる。
【図面の簡単な説明】
【００１０】
【図１】図１は、本考案に係る第１の実施例の多機能型環境保護用ストロー構造を示す分解斜視図である。
【図２】図２は、本考案に係る第１の実施例の多機能型環境保護用ストロー構造を示す組合せ斜視図である。
【図３】図３は、本考案に係る第１の実施例の多機能型環境保護用ストロー構造を示す模式図（一）である。
【図４】図４は、本考案に係る第１の実施例の多機能型環境保護用ストロー構造を示す模式図（二）である。
【図５】図５は、本考案に係る第２の実施例の多機能型環境保護用ストロー構造を示す分解斜視図である。
【図６】図６は、本考案に係る第２の実施例の多機能型環境保護用ストロー構造を示す組合せ斜視図である。
【図７】図７は、本考案に係る第３の実施例の多機能型環境保護用ストロー構造を示す分解斜視図である。
【考案を実施するための形態】
【００１１】
以下、本考案の上記目的、ならびにその構造的および機能的特徴について、添付図面に例示の好ましい実施例に基づいて説明する。
【００１２】
（第１の実施例）
図１、図２はそれぞれ、本考案に係る第１の実施例の多機能型環境保護用ストロー構造を示す分解斜視図および組合せ斜視図である。各図に示すように、多機能型環境保護用ストロー構造１は、第１の本体１０と第２の本体１１とを含んでおり、第１の本体１０は、第１の側面１００および第２の側面１０１を有しており、第２の側面１０１に第１の解放部１０２が形成されており、第２の本体１１は、第３の側面１１０および第４の側面１１１を有しており、第３の側面１１０に第２の解放部１１２が形成されている。さらに、第１および第２の本体１０、１１は互いに組み合わせることができ、第２の解放部１１２を第１の解放部１０２に対応して配置することにより。通過空間１２を画定することができる。
【００１３】
また、本実施例では、第１の本体１０及び第２の本体１１の材質は、プラスチック、竹、木材、高分子材料、分解性材料、及び金属材料からなる群から選択されたいずれか１つであるが、上記の材料に限定されるものではなく、箸やストローを作製可能な材料であれば、すべて本考案の範囲に含まれることは言うまでもない。
【００１４】
多機能型環境保護用ストロー構造１は、固定性を強めるために、第１の本体１０と第２の本体１１とを互いに組み合わせた後に任意に移動しないようにすることを目指して、第１および第２の本体１０、１１の第１および第４の側面１００、１１１に対応して嵌め付けられるスリーブ部材１３をさらに有する。スリーブ部材１３の材質は、プラスチック、高分子材料、分解性材料または可撓性材料からなる群から選択されたいずれか１つであるが、上記材料に限定されるものではなく、スリーブ部材１３に可撓性および弾性を持たせる材料であれば、すべて本考案の範囲に含まれる。
【００１５】
図３および図４はそれぞれ、本考案に係る第１の実施例の多機能型環境保護用ストロー構造を示す模式図である。図３および図４を併せて参照することから分かるように、使用者が本考案の構造設計によるストロー構造１で食品２を掴みたい場合、まず、第１および第２の本体１０、１１を分離状態にし、そして、第１および第２の本体１０、１１の第１および第４の側面１００、１１１を握って、第１および第２の本体１０、１１の第１および第２の解放部１０２、１１２のそれぞれによって食品２に接近してクランプすることにより、食品２を把持する動作を円滑に完了することができる。すなわち、図３に示すように、箸の役割を果たす。
【００１６】
また、使用者が容器３に入っている流体４（該流体４とは、飲み物、タピオカ粒、パール、ココナッツなどを指す）を吸いたい場合、第１の本体１０と第２の本体１１とを組み合わせた後、第１の本体１０と第２の本体１１とにスリーブ部材１３を嵌め付けるだけで、流体４を通過空間１２に通してスムーズに流体４を吸引することができる。すなわち、図４に示すように、ストローの役割を果たす。
【００１７】
従って、本考案の構造設計は、箸とストローの両方の用途に適用する多機能性を備えると共に、再利用可能性を持つことにより、さらに環境保護の効果も奏する。
【００１８】
（第２の実施例）
図５および図６はそれぞれ、本考案に係る第２の実施例の多機能型環境保護用ストロー構造分解斜視図および組合せ斜視図である。図５および図６を参照すると、多機能型環境保護用ストロー構造における部分的構成要素、及びそれらの構成要素同士間の対応関係は、前述の実施例に例示の多機能型環境保護用ストロー構造と同じであるので、ここではそれらに係る同じことを繰り返し説明しない。
【００１９】
本実施例の多機能型環境保護用ストロー構造と前述の第１の実施例における構造との主な違いは、第１の解放部１０２に少なくとも１つの係合部１０３がさらに形成されており、第２の解放部１１２に少なくとも１つの被係合部１１３がさらに形成されており、被係合部１１３と係合部１０３とは互いに組み合わされる点である。
【００２０】
言い換えれば、第１および第２の解放部１０２、１１２に係合部１０３および被係合部１１３がさらに形成されている。本実施例では、係合部１０３はリブであり、被係合部１１３はリブと組み合わせる溝である。
【００２１】
従って、本実施例では、第１の本体１０の係合部１０３と第２の本体１１の被係合部１１３とが組み合わされれば、前述のストロー構造が形成されるようになっており、逆に、第１の本体１０の係合部１０３と第２の本体１１の被係合部１１３とを分離させれば、前述の箸が形成されるようになっている。これにより、第１の実施例と同様に上記の様々な効果を達成することができる。
【００２２】
（第３の実施例）
最後に、図７は、本考案に係る第３の実施例の多機能型環境保護用ストロー構造を示す分解斜視図である。図７を参照すると、多機能型環境保護用ストロー構造の構成要素、及びそれらの構成要素同士間の対応関係は、前述に例示の多機能型環境保護用ストロー構造と同じであるので、ここでは、それらについての同じことを繰り返し説明しない。
【００２３】
本実施例の多機能型環境保護用ストロー構造と前述に例示の構造との主な違いは、第１および第２の本体１０、１１をさらに２つの部分に分けることができる点、すなわち、多機能型環境保護用ストロー構造１は四等分に分けることができる点である。一方、ユーザがそれを使用する場合には、２分割された第１の本体１０と第２の本体１１とを組み合わせれば、箸やストローとすることができるようになっており、これにより、上記実施例と同様の効果が得られる。
【００２４】
（本考案の利点）
以上に説明したように、本考案は、従来技術に比べて、以下の利点を有する。
・多機能用途を備える。
・再利用可能である。
・環境保護の効果を持つ。
【００２５】
以上、本考案を詳細に説明したが、上記に述べた例は、本考案の好ましい実施例に過ぎず、本考案の実施範囲を限定するものではなく、本考案の権利範囲に従ったすべての変更や補正などは、本考案の請求範囲に含まれるべきである。
【符号の説明】
【００２６】
１        ストロー構造
２        食品
３        容器
４        流体
１０      第１の本体
１１      第２の本体
１２      通過空間
１３      スリーブ部材
１００    第１の側面
１０１    第２の側面
１０２    第１の解放部
１０３    係合部
１１０    第３の側面
１１１    第４の側面
１１２    第２の解放部
１１３    被係合部
【図１】
0003220858.tif 000003
【図２】
0003220858.tif 000004
【図３】
0003220858.tif 000005
【図４】
0003220858.tif 000006
【図５】
0003220858.tif 000007
【図６】
0003220858.tif 000008
【図７】
0003220858.tif 000009
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
一方の側面に第１の解放部が形成された第１の本体と、
前記第１の本体と対応して組み合わせ可能であり、一方の側面に第２の解放部が形成された第２の本体と、
を備え、
前記第１の本体は、第１の側面および第２の側面を有し、
前記第２の本体は、第３の側面および第４の側面を有し、
前記第２の側面の長手方向一端から他端まで前記第１の解放部が形成されており、
前記第３の側面の長手方向一端から他端まで前記第２の解放部が形成されており、
前記第２の解放部を前記第１の解放部に対応して配置することにより、通過空間が画定される、
ことを特徴とする多機能型環境保護用ストロー構造。
【請求項２】
前記第１の本体と前記第２の本体とを組み合わせることにより、ストローが形成されるとともに、前記通過空間を通って流体が通過可能である、
ことを特徴とする請求項１に記載の多機能型環境保護用ストロー構造。
【請求項３】
前記第１の本体と前記第２の本体とを分離させることにより、一対の箸が形成される、ことを特徴とする請求項１に記載の多機能型環境保護用ストロー構造。
【請求項４】
前記第１の本体及び前記第２の本体の材質は、プラスチック、竹、木材、高分子材料、分解性材料、及び金属材料からなる群から選択されたいずれか１つである、
ことを特徴とする請求項１に記載の多機能型環境保護用ストロー構造。
【請求項５】
スリーブ部材をさらに有し、
前記スリーブ部材は、前記第１の本体の側面および前記第２の本体の側面に対応して嵌め付けられる、
ことを特徴とする請求項１に記載の多機能型環境保護用ストロー構造。
【請求項６】
前記スリーブ部材の材質は、プラスチック、高分子材料、分解性材料、及び可撓性材料からなる群から選択されたいずれか１つである、
ことを特徴とする請求項５に記載の多機能型環境保護用ストロー構造。
【請求項７】
前記第１の解放部には、少なくとも１つの係合部がさらに形成されており、
前記第２の解放部には、少なくとも１つの被係合部がさらに形成されており、
前記被係合部と前記係合部とは互いに組み合わされる、
ことを特徴とする請求項１に記載の多機能型環境保護用ストロー構造。